(57)【特許請求の範囲】
【請求項１】
二つ割された受体と蓋体の何れか一方の端部には、略Ｔ形板状に形成された軸板部を形成し、且つ、他方の端部には、上記軸板部を枢着可能な筒状の軸受部が形成されてなり、これら軸板部と軸受部とを枢着して上記受体と蓋体を開閉自在に形成すると共に、上記受体又は蓋体の何れか一方の遊端部には係止受部を設け、且つ、他方の遊端部には、上記係止受部に係止可能な係止部を形成し、これら受体と蓋体を竪樋に閉め付けて抱持させる構造の竪樋支持具において、上記軸板部の首片部の先端に形成された横長の板片部を断面Ｖ形又は断面Ｚ形に折曲形成することで、その折曲部分に突条部を形成し、上記軸板部と軸受部の開閉動作における接触面積が増加されたことを特徴にしている竪樋支持具。
【請求項２】
二つ割された受体と蓋体の何れか一方の端部には、窓孔部を備えた軸板部を形成し、且つ、他方の端部には、上記窓孔部に貫通されて枢着可能な筒状の軸受部が形成されてなり、これら軸板部と軸受部とを枢着して上記受体と蓋体を開閉自在に形成すると共に、上記受体又は蓋体の何れか一方の遊端部には係止受部を設け、且つ、他方の遊端部には、上記係止受部に係止可能な係止部を形成し、これら受体と蓋体を竪樋に閉め付けて抱持させる構造の竪樋支持具において、上記軸板部の先端縁と上記窓孔部との間に形成された横長の板片部を断面Ｖ形又は断面Ｚ形に折曲形成することで、その折曲部分に突条部を形成し、上記軸板部と軸受部の開閉動作における接触面積が増加されたことを特徴にしている竪樋支持具。
【発明の詳細な説明】
【０００１】
【発明の属する技術分野】
【０００２】
本発明は、一般住宅やビルなどの建築物の壁面等に沿って配される竪樋を抱持支承する竪樋支持具に関する。
【従来の技術】
【０００３】
図５は、従来の竪樋支持具を示した平面図、図６（ａ）、（ｂ）は、従来の竪樋支持具の要部を部分拡大した斜視図である。
【０００４】
この竪樋支持具１００は、二つ割された受体１０１と蓋体１０２のうち、一方の端部には、軸板部１１２を形成し、且つ、他方の端部には、軸板部１１２を枢着可能な軸受部１１１が形成されてなり、これら軸板部１１２と軸受部１１１とを枢着して受体１０１と蓋体１０２を開閉自在に形成している。
【０００５】
具体的には、図６（ａ）で示すように、蓋体１０２の端部には、略Ｔ形板状に形成された軸板部１１２を形成し、且つ、受体１０１の端部には、軸板部１１２を枢着可能な筒状の軸受部１１１が形成されてなる構造のもの、又は、図６（ｂ）で示すように、蓋体１０２の端部には、窓孔部１３２を備えた軸板部１１２を形成し、且つ、受体１０１の端部には、窓孔部１３２に貫通されて枢着可能な筒状の軸受部１１１が形成されてなる構造のものがあり、何れの構造のものでも、これら軸板部１１２と軸受部１１１とを枢着して受体１０１と蓋体１０２を開閉自在に形成している点では同じである。
【０００６】
このような構造の受体１０１の遊端部には係止受部１２１を設け、且つ、蓋体１０２の遊端部には、係止受部１２１に係止可能な係止部１２２を形成し、これら受体１０１と蓋体１０２を竪樋に閉め付けて抱持させる構造にしている。
なお、受体１０１には、これを建物の壁等に固着するための取付体１３１が延設されているが、この取付体１３１は、どのような構造であっても構わない。
【発明が解決しようとする課題】
【０００７】
しかし、従来の竪樋支持具１００は、受体１０１と蓋体１０２の開閉動作において、図６（ａ）で示す構造のものでは、軸受部１１１の内面と、軸板部１１２の両側縁との間に隙間を生じて摺接された状態で回転動作され、また、図６（ｂ）で示す構造のものでは、軸受部１１１の内面に、窓孔部１３２の一側縁と、軸板部１１２の先端縁との間に間隙を生じて摺接された状態で回転動作されている。
【０００８】
そのため、受体１０１と蓋体１０２の開閉動作において、軸板部１１２と軸受部１１１の回転動作中にガタツキが生じ易く、スムーズな開閉動作ができないという問題があった。
【０００９】
本発明は、このような事情に鑑みて、受体と蓋体の開閉動作における軸板部と軸受部の回転動作中のガタツキを防止し、スムーズな開閉動作ができる竪樋支持具を提供することを目的としている。
【課題を解決するための手段】
【００１０】
上記目的を達成するため、請求項１に係る竪樋支持具は、二つ割された受体と蓋体の何れか一方の端部には、略Ｔ形板状に形成された軸板部を形成し、且つ、他方の端部には、上記軸板部を枢着可能な筒状の軸受部が形成されてなり、これら軸板部と軸受部とを枢着して上記受体と蓋体を開閉自在に形成すると共に、上記受体又は蓋体の何れか一方の遊端部には係止受部を設け、且つ、他方の遊端部には、上記係止受部に係止可能な係止部を形成し、これら受体と蓋体を竪樋に閉め付けて抱持させる構造の竪樋支持具において、上記軸板部の首片部の先端に形成された横長の板片部を断面Ｖ形又は断面Ｚ形に折曲形成することで、その折曲部分に突条部を形成し、上記軸板部と軸受部の開閉動作における接触面積が増加されたことを特徴にしている。
【００１１】
このものでは、軸板部の板片部には、横長方向に向けて断面Ｖ形又は断面Ｚ形の突条部を折曲形成しているので、受体と蓋体の開閉動作において、筒状の軸受部の内面と、軸板部の両側縁との間の間隙を突条部で減少させた状態で枢着している。
【００１２】
そのため、上記受体と蓋体の開閉動作におけるガタツキを防止し、スムーズな開閉動作ができる。
【００１３】
請求項２に係る竪樋支持具は、二つ割された受体と蓋体の何れか一方の端部には、窓孔部を備えた軸板部を形成し、且つ、他方の端部には、上記窓孔部に貫通されて枢着可能な筒状の軸受部が形成されてなり、これら軸板部と軸受部とを枢着して上記受体と蓋体を開閉自在に形成すると共に、上記受体又は蓋体の何れか一方の遊端部には係止受部を設け、且つ、他方の遊端部には、上記係止受部に係止可能な係止部を形成し、これら受体と蓋体を竪樋に閉め付けて抱持させる構造の竪樋支持具において、上記軸板部の先端縁と上記窓孔部との間に形成された横長の板片部を断面Ｖ形又は断面Ｚ形に折曲形成することで、その折曲部分に突条部を形成し、上記軸板部と軸受部の開閉動作における接触面積が増加されたことを特徴にしている。
【００１４】
このものでは、軸板部の先端縁と上記窓孔部との間に形成された横長の板片部には、横長方向に向けて断面Ｖ形又は断面Ｚ形の突条部を折曲形成しているので、受体と蓋体の開閉動作において、筒状の軸受部の内面と、窓孔部の一側縁との間隙を断面Ｖ形又は断面Ｚ形の突条部で減少させた状態で枢着している。
【００１５】
そのため、上記受体と蓋体の開閉動作におけるガタツキを防止し、スムーズな開閉動作ができる。
【発明の実施の形態】
【００１６】
以下、本発明に係る竪樋支持具Ａを図面とともに説明する。
【００１７】
図１は、本発明の竪樋支持具を示した斜視図である。
【００１８】
この竪樋支持具Ａは、二つ割された受体１と蓋体２のうち、蓋体２の端部には、略Ｔ形板状に形成された軸板部３を形成し、且つ、受体１の端部には、軸板部３を枢着可能な筒状の軸受部４が形成されてなり、これら軸板部３と軸受部４とを枢着して受体１と蓋体２を開閉自在に形成すると共に、受体１の遊端部には係止受部５を設け、且つ、蓋体２には、係止受部５に係止可能な係止部６を形成し、これら受体１と蓋体２を竪樋Ｔに閉め付けて抱持させる構造にしている。
なお、蓋体２に形成された軸板部３と、受体１に形成された軸受部４、或いは、係止受部５と係止部６は、各々逆側に形成されても構わない。
【００１９】
また、係止受部５と係止部６とは、係脱可能に形成されていれば良く、これに限定されない。
【００２０】
以下、各部材について詳説する。
【００２１】
受体１は、帯板を略半円弧状に形成し、その中央には、受体１を建物の壁等に固着するための取付体１１が外方に向けて延設されている。
【００２２】
この取付体１１は、図例のような打込み式の他、壁等からの出具合を調節可能なスライド式のものなど、その構造には限定されない。
【００２３】
受体１の遊端部には、これを外方に折曲した係止受部５を形成している。
また、受体１の適所には、補強用のリブ１２を形成している。
【００２４】
蓋体２は、帯板を略半円弧状に形成し、その適所には、補強用のリブ２１を形成している。
蓋体２の遊端部には、これを内方に折曲して、受体１の係止受部５に係脱可能な係止部６を形成している。
蓋体２の遊端部には、略Ｔ形板状に形成された軸板部３を形成している。
【００２５】
この軸板部３は、蓋体２の端部中央に、軸板部３よりも細幅の首片部３１を延設し、その前方には、軸板部３と略同幅の横長の板片部３２を延設することで略Ｔ形板状に形成している。
【００２６】
一方、受体１の端部には、軸板部３を枢着可能な円筒状の軸受部４を形成している。
この軸受部４は、受体１の端部両側に、中央に間隙をあけた一対の円筒部４１を形成することで円筒状に形成している。
そして、軸板部３の板片部３２の両端を、軸受部４の円筒部４１に挿通させて、これを枢着し、受体１と蓋体２を開閉自在にしている。
【００２７】
本発明は、この軸板部３の先端に形成された横長の板片部３２に、その横長方向に向けて１以上の突条部３３を形成した点に特徴がある。
【００２８】
図２（ａ）は、図１の要部を部分拡大した斜視図である。
すなわち、突条部３３は、板片部３２を断面Ｖ形に折曲形成することで、その折曲部分に形成している。
【００２９】
そのため、受体１と蓋体２の開閉動作において、図２（ｂ）で示すように、軸受部４の円筒部４１の内面と、軸板部３の両側縁３４、３４との間隙を突条部３３で減少させた状態で枢着されるので、受体１と蓋体２の開閉動作におけるガタツキを防止し、スムーズな開閉動作ができる。
【００３０】
図３は、本発明の突条部の他の実施例を示す部分拡大した斜視図である。
ここで、図１、図２と共通する部位には、共通の番号を付し、その説明は省略する。
【００３１】
図３で示す突条部３３は、板片部３２を断面Ｚ形に折曲形成することで、その折曲部分に２つの突条部３３を形成したもので、このものでは、軸板部３の両側縁３４、３４及び２つの突条部３３、３３の隙間が減少された状態に枢着できる。
【００３２】
図４（ａ）は、本発明の竪樋支持具の他の実施例を示す要部を部分拡大した斜視図である。
この竪樋支持具Ａは、図１〜図３で説明した軸板部３と軸受部４の他の構造を示したものであり、ここでは相違する部分だけを説明し、図１〜図３と共通する部材については、共通の番号を付することで説明を省略する。
【００３３】
この蓋体２に形成された軸板部３は、基端側に横長の窓孔部３５を開設し、軸板部３の先端縁と窓孔部３５との間に形成された横長の板片部３２には、その横長方向に向けて１以上の突条部３３を形成したもので、ここでは、窓孔部３５の前方を、断面Ｖ形に折曲形成することで、その折曲部分に突条部３３を形成している。
【００３４】
一方、受体１の軸受部４は、窓孔部３５に貫通されて枢着可能な筒状に形成している。
【００３５】
すなわち、軸受部４を窓孔部３５に貫通させたうえで、筒状に形成することで、これら軸板部３と軸受部４とを枢着し、受体１と蓋体２を開閉自在にしている。
【００３６】
このような構造の竪樋支持具Ａであっても、受体１と蓋体２の開閉動作において、図４（ｂ）で示すように、軸受部４の内面と、窓孔部３５の一側縁３４’及び軸板部３の先端縁３４との間隙を突条部３３で減少させた状態で枢着されるので、受体１と蓋体２の開閉動作におけるガタツキを防止し、スムーズな開閉動作ができる。
【発明の効果】
【００３７】
本発明によれば、次のような効果がある。
【００３８】
請求項１に係る竪樋支持具によれば、軸板部の板片部には、横長方向に向けて断面Ｖ形又は断面Ｚ形の突条部を折曲形成しているので、受体と蓋体の開閉動作において、筒状の軸受部の内面と、軸板部の両側縁との間の間隙を突条部で減少させた状態で枢着している。
【００３９】
そのため、上記受体と蓋体の開閉動作におけるガタツキを防止し、スムーズな開閉動作ができる。
【００４０】
請求項２に係る竪樋支持具によれば、軸板部の先端縁と上記窓孔部との間に形成された横長の板片部には、横長方向に向けて断面Ｖ形又は断面Ｚ形の突条部を折曲形成しているので、受体と蓋体の開閉動作において、筒状の軸受部の内面と、窓孔部の一側縁との間隙を突条部で減少させた状態で枢着している。
【００４１】
そのため、上記受体と蓋体の開閉動作におけるガタツキを防止し、スムーズな開閉動作ができる。
【図面の簡単な説明】
【図１】本発明の竪樋支持具を示した斜視図
【図２】（ａ）は、図１の要部を部分拡大した斜視図、（ｂ）は、（ａ）の要部を縦断した断面図
【図３】本発明の突条部の他の実施例を示す部分拡大した斜視図
【図４】（ａ）は、本発明の竪樋支持具の他の実施例を示す要部を部分拡大した斜視図、（ｂ）は、（ａ）の要部を縦断した断面図
【図５】従来の竪樋支持具を示した平面図
【図６】（ａ）、（ｂ）は、従来の竪樋支持具の要部を部分拡大した斜視図
【符号の説明】
Ａ 竪樋支持具
Ｔ 竪樋
１ 受体
２ 蓋体
３ 軸板部
３１ 首片部
３２ 板片部
３３ 突条部
３３ａ 湾曲部
３５ 窓孔部
４ 軸受部
５ 係止受部
６ 係止部
【図１】
0003643815.tif 000002
【図２】
0003643815.tif 000003
【図３】
0003643815.tif 000004
【図４】
0003643815.tif 000005
【図５】
0003643815.tif 000006
【図６】
0003643815.tif 000007